(57)【要約】      （修正有）【課題】構造を複雑にすることなく、操作片のストローク始終端位置が逆転した操作ハンドルでの駆動を可能にする。【解決手段】扉体から没入自在、かつ揺動自在に突出してドア枠に係止するラッチ部材３と、該ラッチ部材３を開扉操作時に没入方向分力が発生しない揺動姿勢に拘束して閉扉状態を維持するラッチロック４と、扉体表裏面に配置される操作ハンドルに連動して移動する操作片６に駆動されて前記ラッチロック４をラッチ部材３との係脱位置に駆動する駆動リンク装置７とハウジング８とを有し、前記駆動リンク装置７は、一端部がハウジング８に回転自在に軸支され、前記一対の操作片６の移動軌跡間のほぼ中心線上で交差して互いに揺動可能に連結される２個のリンク９、１０からなる揺動リンク対１１の２組を操作片６の双方の移動方向に対する干渉位置に配置するとともに、揺動リンク対１１間をピン１２を使用して互いに連動可能に連結する。【選択図】図５
2009030398.tif 000002
【特許請求の範囲】
【請求項１】
扉体への固定状態において扉体から没入自在、かつ揺動自在に突出してドア枠に係止するラッチ部材と、
ラッチ部材に係止して該ラッチ部材を開扉操作時に没入方向分力が発生しない揺動姿勢に拘束して閉扉状態を維持するラッチロックと、
扉体表裏面に配置される操作ハンドルに連動して移動する操作片により駆動されて前記ラッチロックをラッチ部材との係脱位置に駆動する駆動リンク装置と、
前記ラッチ部材、ラッチロック、および駆動リンク装置とを保持するハウジングとを有し、
前記駆動リンク装置は、一端部がハウジングに回転自在に軸支され、前記一対の操作片の移動軌跡間のほぼ中心線上で交差して互いに揺動可能に連結される２個のリンクからなる揺動リンク対の２組を操作片の双方の移動方向に対する干渉位置に配置するとともに、揺動リンク対間をピンを使用して互いに連動可能に連結して形成されるラッチ装置。
【請求項２】
前記ラッチロックは、ハウジングに揺動自在に軸支され、ラッチロックがラッチ部材に係止する係止揺動位置側に付勢されるとともに、駆動リンク装置により係止解除揺動位置側に駆動されるロックレバーに形成される請求項１記載のラッチ装置。
【請求項３】
前記駆動リンク装置は、ラッチ部材の進退方向に対して直交方向に駆動される操作片に対して動作する請求項１または２記載のラッチ装置。
【請求項４】
扉体と、
扉体の表裏に垂直回転操作自在に配置され、操作ハンドルへの回転操作に追随して上下移動する操作片を備えた一対の操作ハンドルと、
扉体内に固定された請求項１、２または３記載のラッチ装置とを有する扉装置。
【発明の詳細な説明】
【技術分野】
【０００１】
本発明は、ラッチ装置に関するものである。
【背景技術】
【０００２】
扉体に配置された操作ハンドルへの回転操作によりラッチ部材の水平回転を可能にし、ラッチ部材による閉扉状態の維持を解除するラッチ装置としては、特許文献１に記載のものが知られている。
【０００３】
この従来例において、ラッチ部材はケースから突出した状態で回転可能であり、係止部（ラッチロック）を係止させることにより回転が規制される。一方、各操作ハンドルには押圧片（操作片）が設けられており、操作ハンドルが垂直回転駆動されると、ケース内で横方向に並べられた２枚の操作片は縦方向に移動する。
【０００４】
操作ハンドルを操作しない状態でラッチ部材はラッチロックにより回転が規制されることからドア枠への係止状態が維持されて扉体の閉塞状態が維持される。この状態から操作ハンドルを操作すると、操作片によりリンク機構が作動してラッチロックのラッチ部材との係止が解除され、そのまま扉を押し込み、あるいは引くと、ラッチ部材が回転してドア枠側との係止が解除されて扉が開放される。
【特許文献１】特開２００４-２１８３５６号公報
【発明の開示】
【発明が解決しようとする課題】
【０００５】
しかし、上述した従来例において、リンク機構は操作片の下方への移動に対してのみ動作するために、以下の問題がある。すなわち、外開きドアの表裏両面に配置した操作ハンドルを回転操作して開扉操作を行う場合、双方の操作ハンドルに対しては、室外側への押圧操作が行われる。操作ハンドルが上部に回転支点を有して形成される場合、操作片は押圧操作によって一方は上方に、他方が下方に揺動する。
【０００６】
一方、上述した従来例のラッチ装置は、同一方向に移動する操作片に対して動作するために、一方の操作ハンドルに動作反転機構を設ける等して、表裏の操作ハンドルの操作片の動作方向を一致させる必要があるために、構造が複雑になるという欠点がある。
【０００７】
本発明は、以上の欠点を解消すべくなされたものであって、構造を複雑にすることなく、操作片のストローク始終端位置が逆転した操作ハンドルでの駆動を可能にしたラッチ装置の提供を目的とする。
【課題を解決するための手段】
【０００８】
ラッチ装置Ａのラッチ部材３は、扉体１への固定状態において扉の回転端面から没入自在に突出してドア枠２に係止する。ラッチ部材３は突出状態において開扉操作に伴うドア枠２との係止面に没入方向の分力が発生しない係止姿勢から水平回転自在であり、ドア枠２側に係止されたラッチ部材３の回転をラッチロック４により規制すると、ラッチ部材３はドア枠２との係止状態を維持し、扉体１の閉塞状態を維持することができる。
【０００９】
これに対し、ラッチロック４による規制を解除した状態で扉体１に開放方向の操作力を与えると、ラッチ部材３はドア枠２との係止面がドア枠２から没入方向の分力を受ける揺動位置まで回転する。この状態でさらに開扉を続けると、ラッチ部材３は扉体１内に没入してドア枠２との係止が解除され、結果、扉への開放操作が可能になる。
【００１０】
駆動リンク装置７は、扉表裏面に配置される操作ハンドル５Ａ、５Ｂの操作片６により駆動される２組の揺動リンク対１１、１１を連結して形成され、ラッチロック４をラッチ部材３に係脱させる。各揺動リンク対１１、１１は、一端部が回転自在にハウジング８に軸支され、前記各操作片６、６の移動軌跡間のほぼ中心線上で交差して互いに揺動可能に連結される２個のリンク９、１０により形成される。
【００１１】
ハウジング８に２組の揺動リンク対１１、１１を取り付けた状態で、各操作片６、６に対して２個のリンク９、１０が双方の移動終端方向に配置される。したがって、操作片６がいずれの方向に移動しても、同様の条件で揺動リンク対１１のリンク９、１０を駆動することが可能になり、結果、移動終端位置が逆転した操作片６を有する操作ハンドル５Ａ、５Ｂが使用されても、何等の調整部材を要することなくラッチロック４によるラッチ部材３の係脱操作を正確に行うことができる。
【発明の効果】
【００１２】
本発明によれば、構造を複雑にすることなく、操作片のストローク始終端位置が逆転した操作ハンドルでの駆動を可能にすることができる。
【発明を実施するための最良の形態】
【００１３】
図１に示すように、扉装置は、扉体１の表裏両面に固定されるハンドル装置１４と、扉体１内に収容されるラッチ装置Ａと、錠装置１５とを有する。図３に示すように、錠装置１５は、ラッチ装置Ａのハウジング８に連結された錠ケース１５ａ内にデッドボルト１５ｂを収容して形成される。この実施の形態において、錠装置１５は、ハーネス１５ｃを経由して駆動制御、給電される電気錠で、錠ケース１５ａ内には、デッドボルト１５ｂを駆動するためのアクチュエータ（図示せず）が格納される。
【００１４】
ハンドル装置１４は、扉体１の表面に上下に適宜間隔をおいて固定される上下ハンドルベース１４ａ、１４ｂと、上下ハンドルベース１４ａ、１４ｂ間に配置される操作ハンドル５Ａ、５Ｂとを有し、扉体１の表裏両面対向位置に固定される。図１は外開き使用の扉体１にハンドル装置１４を取り付けた状態を示すもので、左側が室外、右側が室内を示す。扉体１の開放操作に際し、室内側の操作ハンドル５Ｂを使用する場合には、操作ハンドル５Ｂに押し込み力を、室外側の操作ハンドル５Ａを使用する場合には引き込み力を作用させる必要があり、この操作力を利用してラッチ装置Ａを駆動するために、操作ハンドル５Ａ、５Ｂは、回転自由度が与えられる。
【００１５】
この実施の形態において、操作ハンドル５Ａ、５Ｂは下ハンドルベース１４ｂのハンドルヒンジ１６周りに回転自在であり、扉体１への取付状態において、操作ハンドル５Ａ、５Ｂは鉛直面に沿って回転操作することができる。また、操作ハンドル５Ａ、５Ｂの回転先端部、すなわち上ハンドルベース１４ａへの対応部には、操作ハンドル５Ａ、５Ｂの回転変位をラッチ装置Ａに伝達するための操作片６が配置される。
【００１６】
図２に示すように、操作片６は、下端部が下ハンドルベース１４ｂに対して枢軸１７周りに回転自在に連結され、上端が操作ハンドル５Ａ、５Ｂに連結ピン１８を使用して一体に連結されるレバー６ａから扉体１内方に向けて延設される板状部材として形成される。これら表裏の操作ハンドル５Ａ、５Ｂに連結される各々の操作片６、６は、図５に示すように、ハンドル装置１４を扉体１に取り付けた状態で、並んで配置され、図２（ａ）に示すように、室内側に配置される操作ハンドル５Ｂを使用して扉体１を開放しようとすると、室内側の操作ハンドル５Ｂは、図２（ａ）において鎖線で示す初期位置から実線で示す位置まで僅かに反時計回りに回転する。これに伴ってレバー６ａは枢軸１７周りに反時計回りに回転し（回転角θ）、操作片６先端は下方に移動する。
【００１７】
同様に、室外側の操作ハンドル５Ａにより開扉操作を行うと、図２（ｂ）に示すように、操作ハンドル５Ａ、５Ｂとレバー６ａは反時計方向に回転するが、レバー６ａからの突出方向が逆転してる操作片６先端は上方に向けて移動する。
【００１８】
上記ラッチ装置Ａは、ハウジング８内にラッチ部材３を収容して形成され、ハウジング８のフロントが扉体１の回転端面とほぼ同一面となるように扉体１内に固定される。ハウジング８には扉体１に固定した状態で上述した操作片６が挿入する矩形開口８ａが開設される。
【００１９】
図４に示すように、ラッチ部材３は、先端部に係止面３ａと、係止面３ａに鋭角に交差する逃げ面３ｂを備えるとともに、後端部に鈍角で交差する一対の被押圧面３ｃを備えて紙面に対して垂直方向を高さ方向とする角柱形状を有するラッチブロック部３ｄを有する。ラッチブロック部３ｄには後端から後方にストッパ脚３ｅが突設され、図４（ｂ）に示すように、ストッパ脚３ｅを両側方に拡幅してストッパ段部３ｆが形成される。
【００２０】
このラッチ部材３は、正面壁から後方に一対の対向壁面を突設した側面視コ字形状のラッチケース１９に保持されてサブアッセンブルされる。ラッチ部材３は、ラッチケース１９の正面壁に開設された矩形孔１９ａからラッチブロック部３ｄを突出させた姿勢でラッチケース１９内に収容され、ラッチケース１９の後方への開放端部にはバネ受け部材２０が固定される。バネ受け部材２０は係止爪２０ａをラッチケース１９の対向壁に係止させて固定され、固定状態においてラッチケース１９の開放端部の広がりを規制する。
【００２１】
２１はラッチケース１９に収容されるスライダで、ラッチケース１９の対向壁面に開設されたガイド用開口１９ｂにガイド突部２１ａを嵌合させて前後方向に移動することができる。図４（ｂ）に示すように、ガイド突部２１ａをガイド用開口１９ｂに嵌合させることによりラッチケース１９からの脱落が規制されるスライダ２１は、ラッチ部材３のストッパ脚３ｅに挟まれるように位置することによって、ラッチ部材３のラッチケース１９からの脱落を防止する。
【００２２】
このスライダ２１は上記バネ受け部材２０との間に介装される圧縮スプリング２２により前方に付勢されており、ラッチ部材３は、被押圧面３ｃがスライダ２１の前端面に押されて前方、すなわち飛び出し方向付勢される。
【００２３】
以上のように形成されるラッチ部材３は、図４（ａ）に示す係止揺動位置と、図４（ｃ）に示す退避揺動位置との間で揺動可能であり、扉体１を閉塞状態に維持する際には、後述するラッチロック４により図４（ａ）の係止揺動位置からの揺動が規制される。係止揺動位置において、図４（ａ）において鎖線で示すドア枠２は係止面３ａに対して直角に係止しており、開扉操作が行われて係止面３ａに力が負荷されてもラッチ部材３にはラッチケース１９内への没入分力が発生しないために、閉扉状態が維持される。
【００２４】
この状態からラッチロック４により揺動規制を解除すると、係止面３ａに直角に負荷するドア枠２側の相対的な操作力によってラッチ部材３は図４（ｃ）に示すように退避揺動位置まで揺動し、さらに負荷が加わると、ドア枠２に対して斜めに接触する係止面３ａには没入方向の分力が発生し、図４（ｄ）に示すように、ラッチ部材３はラッチケース１９内に没入し、扉体１の開放が許容される。
【００２５】
操作ハンドル５Ａ、５Ｂの操作を利用してラッチロック４を駆動するために、ラッチ装置Ａは揺動リンク対１１を連結した駆動リンク装置７を備える。図５に示すように、揺動リンク対１１は、枢軸２３を使用して一端がハウジング８に回転自在に連結される２個のリンク９、１０を遊嵌して形成される。各リンク９、１０のハウジング８への枢支位置は、操作片６の移動方向の中心線（Ｃ）に対してほぼ線対称位置に設定されており、かつ、自由端が操作片６のほぼ中心線（Ｃ）上で連結される。リンク９、１０同士は一方のリンク９、１０に立設したピン２４を他方の孔２５に挿通させることにより行われ、各リンク９、１０の枢軸２３周りの回転を許容するために、孔２５は、ピン２４の径にほぼ等しい幅の長孔として形成される。
【００２６】
また、各リンク９、１０の自由端には紙面に対して直交方向に折り曲げられた作動片９ａ、１０ａが形成される。作動片９ａ、１０ａは、操作片６の移動軌跡上に配置され、作動した操作片６に当接する。枢軸２３から作動片９ａ、１０ａまでのレバー長を可及的に長くし、操作片６の移動ストロークのばらつきによるリンク９、１０の揺動角のばらつきを小さくするために、作動片９ａ、１０ａは、他のリンク９、１０との連結位置を挟んで、枢軸２３から反対位置に設けられる。
【００２７】
駆動リンク装置７は、以上のように形成される揺動リンク対１１の２組を連結して構成される。揺動リンク対１１は、操作片６が図５に示す中立位置、すなわち、図１に示すように、操作ハンドル５Ａ、５Ｂに操作が加えられない状態での操作片６、６同士を通過する直線（Ｌ）に対してほぼ線対称位置に２組配置され、直線（Ｌ）上で連結される。揺動リンク対１１同士の連結は、いずれか一方の揺動リンク対１１を構成するリンク９、１０上に立設したピン１２を他方の孔２８に貫通させて行われる。揺動リンク対１１、１１同士がトラス構造を構成することなく、各揺動リンク対１１、１１の動作が保証されるように、孔２８は、ピン１２の径にほぼ等しい幅の長孔として形成される。
【００２８】
したがってこの実施の形態において、いずれの操作片６が中立位置からいずれの方向に移動しても、移動ストロークが等しいことを条件として、双方の揺動リンク対１１の作動角は等しくなる。この結果、扉体１表裏に配置される操作ハンドル５Ａ、５Ｂによる操作片６の操作ハンドル５Ａ、５Ｂの操作に伴う移動方向が異なっても、中立位置、および移動ストロークが一致しているならば、操作ハンドル５Ａ、５Ｂの仕様にかかわらず、常に等しい変位量が出力される。
【００２９】
図５に示すように、上記ラッチロック４は、中央部がハウジング８に回転自在に連結されるロックレバー１３の一端に形成される。ロックレバー１３は、図５に示すように、ラッチロック４がラッチ部材３のストッパ段部３ｆに係止してラッチ部材３の揺動を規制する係止揺動位置と、図６に示すように、ラッチロック４がストッパ段部３ｆとの係止を解除する係止解除揺動位置との間を揺動可能であり、ロックレバー１３の枢軸２６周りに巻装されるトーションスプリング２７により、係止揺動位置側に付勢される。
【００３０】
また、駆動リンク装置７のリンク９、１０には、ロックレバー１３の係止揺動位置側への揺動方向にロックレバー１３の他端が当接する作動ピン１１ａが立設される。上記トーションスプリング２７の作用により、作動ピン１１ａとロックレバー１３の他端は接触状態が維持され、ロックレバー１３が係止揺動位置にあるときには、作動ピン１１ａはロックレバー１３に押されて図５に示す初期位置に保持される。
【００３１】
上述したように、この状態、すなわち、操作ハンドル５Ａ、５Ｂに操作が加えられずに駆動リンク装置７が初期状態を維持し、ロックレバー１３が係止揺動位置にある状態で、ラッチ部材３の揺動は規制されて扉体１の閉塞状態が維持される。この状態から図６に示すように、操作ハンドル５Ａ、５Ｂを操作すると、操作片６により揺動リンク対１１のリンク９、１０が離隔方向に駆動される。リンク９、１０の移動により、作動ピン１１ａがロックレバー１３の他端を押し付けてロックレバー１３を係止解除揺動位置側に揺動させ、以後、図４に示す手順で開扉操作が許容される。
【図面の簡単な説明】
【００３２】
【図１】本発明のハンドル装置を示す図である。
【図２】操作片を示す図で、（ａ）は、室内側の操作ハンドルを操作した状態を示す図、（ｂ）は室外側の操作ハンドルを操作した状態を示す図である。
【図３】扉体内に格納される装置を示す図で、（ａ）は平面図、（ｂ）は３Ｂ方向矢視図、（ｃ）は３Ｃ方向矢視図である。
【図４】ラッチ部材を示す図で、（ａ）は係止揺動位置を示す図、（ｂ）は４Ｂ方向矢視図、（ｃ）は退避揺動位置を示す図、（ｄ）は退避揺動位置から扉開方向に操作された状態を示す図である。
【図５】本発明を示す図である。
【図６】図５に示す状態から、操作片の操作によりラッチ部材への係止が解除された状態を示す図である。
【符号の説明】
【００３３】
１          扉体
２          ドア枠
３          ラッチ部材
４          ラッチロック
５Ａ、５Ｂ  操作ハンドル
６          操作片
７          駆動リンク装置
８          ハウジング
９、１０    リンク
１１        揺動リンク対
１２        ピン
１３        ロックレバー
Ａ          ラッチ装置  
【図１】
2009030398.tif 000003
【図２】
2009030398.tif 000004
【図３】
2009030398.tif 000005
【図４】
2009030398.tif 000006
【図５】
2009030398.tif 000007
【図６】
2009030398.tif 000008